(57)【特許請求の範囲】
【請求項１】
紙葉類を所定の位置に保持する側壁を有し、前記紙葉類の長辺が筐体の奥行き方向に沿うように当該紙葉類を蓄える一時収納部と、
前記紙葉類の受け渡し時に開放される開口部から前記一時収納部の少なくとも一部が露出するように前記一時収納部が配置される投入部と、
前記紙葉類を収納する紙葉類収納部と、
前記投入部と前記紙葉類収納部との間に形成され、前記一時収納部が保持する前記紙葉類を前記紙葉類収納部に繰出す繰出し部と、
前記投入部と前記繰出し部を跨いで前記一時収納部を移動させるスライド機構と、
前記スライド機構を制御して前記一時収納部を所定の位置に配置する制御部と、
を有し、
前記制御部は、前記紙葉類の受け渡しまでに、前記一時収納部を正面側にスライドさせて前記投入部に配置し、前記紙葉類の受け渡しが終了したときは、前記一時収納部を背面側にスライドさせて前記繰出し部に配置する紙葉類取扱装置。
【請求項２】
前記一時収納部は、蓄積された前記紙葉類を押さえる紙葉類押さえ部を有し、
前記制御部は、前記一時収納部に前記紙葉類が蓄積された状態で前記一時収納部を移動させるときは、前記紙葉類押さえ部を駆動し、前記一時収納部に蓄積される前記紙葉類を前記紙葉類押さえ部で押さえた状態で前記一時収納部を移動させる、
請求項１に記載の紙葉類取扱装置。
【請求項３】
前記一時収納部は、前記紙葉類を蓄積する底面が前記筐体の設置面に対して所定の傾斜角を有して配置され、前記底面は前記筐体の前記正面側から前記背面側に向かって上り勾配を形成している、
請求項１に記載の紙葉類取扱装置。
【請求項４】
前記繰出し部は、前記一時収納部が蓄積する前記紙葉類を前記上り勾配の上側から前記紙葉類収納部に向かって繰出し、
前記制御部は、前記紙葉類の繰出しの終了時に前記一時収納部の下部に異物が検出されたときは、前記一時収納部を前記投入部に移動し、前記開口部を開放する、
請求項３に記載の紙葉類取扱装置。
【請求項５】
前記一時収納部は、前記紙葉類を置く位置を案内する目印が、前記紙葉類が蓄積される底面に形成される、
請求項１乃至４のいずれか１項に記載の紙葉類取扱装置。
【発明の詳細な説明】
【技術分野】
【０００１】
本発明は、紙葉類取扱装置に関する。
【背景技術】
【０００２】
ＡＴＭ（Automated Teller Machine）をはじめ、紙幣などの紙葉類を用いた処理を行う装置には、紙葉類を取扱う紙葉類取扱装置が搭載されている。
紙葉類の受け渡しを処理する紙葉類取扱装置では、紙葉類の投入と排出を行う投入部の形状に、スロット型とポケット型とがある。スロット型は、例えば、紙葉類の一端を挿入するスロット形状の投入口を有する。スロット型では、紙葉類の一端を投入口に挿入すると、投入口近くに設けられた繰出し機構によって紙葉類が装置内に取り込まれる。一方、ポケット型は、例えば、シャッターなどの扉が開放されると紙幣を投入するポケット形状の凹部が現れる。ポケット型では、凹部に紙葉類をまとめて投入すると、隣接して設けられた繰出し機構によって紙葉類が装置内に取り込まれる。
【０００３】
一般に、省スペース型のＡＴＭや券売機には、投入口が狭く形成できるスロット型が用いられることが多い。
【先行技術文献】
【特許文献】
【０００４】
【特許文献１】特開２００９−８６８０１号公報
【特許文献２】特開２０１０−１２８６８９号公報
【発明の概要】
【発明が解決しようとする課題】
【０００５】
しかし、スロット型では、利用者が挿入口に挿入した紙葉類の先端の状態を把握できないため、スムーズに挿入できない場合があり、利用者にとって不便であった。また、このため、利用者が紙葉類を奥まで入れすぎるなどして、ジャムになるなどの故障が起きていた。
【０００６】
一方、ポケット型では、凹形状のポケットに紙葉類を投入する際の紙葉類の投入のしやすさから、紙葉類を横方向に投入する形状が多い。横方向とは、投入口の長辺方向に沿うように紙葉類の長辺を挿入する方向をいう。このため、投入後の紙葉類の状況を把握しにくく、紙葉類を揃えて入れることが容易ではなかった。また、紙葉類に混じってコインなどの異物がポケットに投入されてしまうことがあり、故障の要因となることがあった。
【０００７】
一つの側面では、本発明は、利用者の利便性を高めることが可能な紙葉類取扱装置に関する。また、故障を低減することが可能な紙葉類取扱装置に関する。
【課題を解決するための手段】
【０００８】
上記課題を解決するために、紙葉類を所定の位置に保持する側壁を有し、紙葉類の長辺が筐体の奥行き方向に沿うように当該紙葉類を蓄える一時収納部と、紙葉類の受け渡し時に開放される開口部から一時収納部の少なくとも一部が露出するように一時収納部が配置される投入部と、紙葉類を収納する紙葉類収納部と、投入部と紙葉類収納部との間に形成され、一時収納部が保持する紙葉類を紙葉類収納部に繰出す繰出し部と、投入部と繰出し部を跨いで一時収納部を移動させるスライド機構と、スライド機構を制御して一時収納部を所定の位置に配置する制御部と、を有し、制御部は、紙葉類の受け渡しまでに、一時収納部を正面側にスライドさせて投入部に配置し、紙葉類の受け渡しが終了したときは、一時収納部を背面側にスライドさせて繰出し部に配置する紙葉類取扱装置、が提供される。
【発明の効果】
【０００９】
一態様によれば、紙葉類取扱装置は、紙葉類を投入する投入部には、紙葉類の受け渡し時に解放される開口部から紙葉類を投入する一時収納部の少なくとも一部が露出する。これにより、利用者は、一時収納部と、一時収納部に投入する紙葉類とを視認しながら紙葉類を投入できる。これにより、投入が容易になり、利用者の利便性を向上させることができる。また、視認できないことによって無理に紙葉類を投入することによるジャムの発生などの故障を低減することができる。
【図面の簡単な説明】
【００１０】
【図１】第１の実施形態の紙葉類取扱装置の構成を示した断面図である。
【図２】第２の実施形態のＡＴＭの概略構成を示した図である。
【図３】ＡＴＭのハードウェア構成を示すブロック図である。
【図４】第２の実施形態の紙幣処理ユニットの構成の一例を示した断面図である。
【図５】第２の実施形態のトレー部の構成を示した斜視図である。
【図６】紙幣の入金受付前と入金受付後の紙幣処理ユニットの状態を示した断面図である。
【図７】紙幣入金受付時に外部から視認されるトレー部の状態の一例を示した図である。
【図８】紙幣入金時と紙幣入金終了後における紙幣処理ユニットの状態を示した断面図である。
【図９】繰出し処理を開始する前の紙幣処理ユニットの状態を示した断面図である。
【発明を実施するための形態】
【００１１】
以下、本発明の実施の形態について図面を参照して説明する。
［第１の実施形態］
図１は、第１の実施形態の紙葉類取扱装置の構成を示した断面図である。
【００１２】
第１の実施形態の紙葉類取扱装置１は、筐体６の正面側から反対の背面側に向かって順に形成される投入部２、繰出し部３及び紙葉類収納部４と、一時収納部５と、を有する。
筐体６は、例えば、ＡＴＭや券売機など、紙幣などの紙葉類を取扱う装置のフレームである。筐体６は、正面側にシャッター７を有し、シャッター７によって開口部８の開閉を制御する。なお、正面側とは、利用者が操作を行う側の面であり、例えば、ＡＴＭであれば、紙幣を投入する開口部８に加え、表示画面や操作部などが形成される。
【００１３】
投入部２は、筐体６の正面側に形成され、紙葉類の投入時にシャッター７が開いて解放される開口部８に隣接する。投入部２には、少なくとも紙葉類の投入時には、一時収納部５が配置される。
【００１４】
一時収納部５は、紙葉類を一時的に保持する。一時収納部５は、紙葉類を所定の位置に保持する側壁５ａを有し、筐体６の正面側から背面側に向かう奥行き方向と紙葉類の長辺方向に沿うように紙葉類を保持する。一時収納部５は、例えば、紙葉類を置くトレー形状を有する。この一時収納部５は、紙葉類の投入時には投入部２内に配置され、開口部８によって少なくとも一部が露出される。これにより、開口部８から一時収納部５に紙葉類を投入することが可能となる。
【００１５】
繰出し部３は、投入部２と紙葉類収納部４との間に形成され、紙葉類の投入時には、投入部２に配置される一時収納部５が保持する紙葉類を紙葉類収納部４に繰出す。
紙葉類収納部４は、繰出し部３から繰出された紙葉類を収納する。
【００１６】
このような構成の紙葉類取扱装置１において紙葉類が投入されたときの処理について説明する。
筐体６では、利用者による紙葉類投入時にシャッター７を開け、利用者の正面に開口部８を出現させる。開口部８によって開口部８に隣接する投入部２に配置される一時収納部５の少なくとも一部が露出され、利用者は一時収納部５に紙葉類を投入することが可能となる。投入された紙葉類は、一時収納部５の側壁５ａによって所定の位置に保持される。一時収納部５は、紙葉類の長辺方向が筐体６の奥行き方向に沿うように紙葉類を保持する。例えば、一時収納部５は、長辺方向が筐体６の奥行き方向と略平行に配置される。
【００１７】
このように、一時収納部５は、奥行き方向が長くなるように配置されるため、開口部８の外側から観察する利用者は、少なくとも一時収納部５の一端を視認することができる。これにより、紙葉類の投入時に一時収納部５の位置確認が容易になり、利用者の利便性を向上させることができる。同時に、紙葉類も奥行き方向が長くなるように保持されるため、例えば、開口部８の外側から一時収納部５を見たとき、紙葉類の一端の視認が容易になる。また、一時収納部５をこのように配置することにより、開口部８の幅は、紙葉類の短辺方向に応じて決定すればよく、紙葉類の長辺方向の幅の開口部が形成される従来のポケット型と比較し、開口部８のスペースを小さくすることができると共に、紙葉類取扱装置１の小型化を図ることができる。
【００１８】
こうして、一時収納部５に保持される紙葉類は、繰出し部３によって紙葉類収納部４に繰出され、紙葉類収納部４で収納される。
一時収納部５に保持される紙葉類は、側壁５ａによって所定の位置にあるため、繰出し部３では紙葉類の繰出しを容易にすることができる。これにより、スロット型で発生するジャムを低減することができる。
【００１９】
このように、紙葉類取扱装置１では、利用者が紙葉類を視認しながら投入することができるため、利用者の利便性を向上させることができる。また、省スペース型の筐体６にも適用可能であるが、従来のスロット型と比較して、ジャムなどの故障を低減することができる。
【００２０】
［第２の実施形態］
次に、第２の実施形態として、第１の実施形態の紙葉類取扱装置をＡＴＭに適用した場合について説明する。まず、第２の実施形態のＡＴＭの構成例について説明する。図２は、第２の実施形態のＡＴＭの概略構成を示した図である。なお、図２に示した構成は一例であり、各部の配置及び構成は、任意である。
【００２１】
図２に示したＡＴＭ１０は、顧客操作部２０と、カード／レシート部３０と、紙幣処理部４０と、テンキー入力部５０と、手のひら静脈／指静脈認証部６０と、を有する。
顧客操作部２０は、ディスプレイとタッチパネルを有し、ＡＴＭにおける取引操作の案内と、指示の受付けとを行う。カード／レシート部３０は、キャッシュカードやクレジットカード等のカードを用いる取引において、カードの挿入と排出とを行う。また、取引終了時に発行するレシートを排出する。紙幣処理部４０では、入金及び出金取引の際に、紙幣の受け渡しを処理する。テンキー入力部５０は、数字等を入力するキーを備え、顧客操作部２０のタッチパネルと協働して利用者の指示を受け付ける。手のひら静脈／指静脈認証部６０は、利用者がかざした手のひらあるいは指の静脈パターンを検出し、予め登録された利用者の静脈パターンと照合することによって利用者を認証する。
【００２２】
次に、ＡＴＭ１０のハードウェア構成及び動作について説明する。
図３は、ＡＴＭのハードウェア構成を示すブロック図である。
ＡＴＭ１０は、制御部１１０と、ディスプレイ１２０ａと、タッチパネル１２０ｂと、カード／レシート処理ユニット１３０と、紙幣処理ユニット１４０と、テンキーユニット１５０と、手のひら静脈／指静脈認証ユニット１６０と、を有する。
【００２３】
制御部１１０は、ＣＰＵ（Central Processing Unit）１１１、ＲＡＭ（Random Access Memory）１１２、第１ＨＤＤ（Hard Disk Drive）１１３ａ、第２ＨＤＤ１１３ｂ、外部通信インタフェース１１４、表示処理ユニット１１５、キー処理ユニット１１６及びＩ／Ｏ（Input/Output）制御部１１７を有し、各々がバス１１８を介して接続されている。なお、制御部１１０は、コンピュータの一例でもある。
【００２４】
ＣＰＵ１１１は、ＡＴＭ１０の全体動作を制御する。ＲＡＭ１１２には、ＣＰＵ１１１に実行させるＯＳ（Operating System）のプログラムやアプリケーションプログラムの少なくとも一部が一時的に格納される。また、ＲＡＭ１１２には、ＣＰＵ１１１による処理に必要な各種データが格納される。
【００２５】
第１ＨＤＤ１１３ａ及び第２ＨＤＤ１１３ｂには、ＯＳやアプリケーションプログラムを格納する。第１ＨＤＤ１１３ａと、第２ＨＤＤ１１３ｂとは、システム保護のために二重化されているが、いずれか一方のみで構成することもできる。
【００２６】
外部通信インタフェース１１４は、外部のネットワーク７０に接続され、他のコンピュータとの間でデータの送受信を行う。
表示処理ユニット１１５には、ディスプレイ１２０ａが接続される。ディスプレイ１２０ａは、タッチパネル１２０ｂとともに顧客操作部２０を構成する。表示処理ユニット１１５は、ＣＰＵ１１１の制御の下に、操作案内等の各種情報をディスプレイ１２０ａの画面に表示させる。
【００２７】
キー処理ユニット１１６には、タッチパネル１２０ｂが接続される。タッチパネル１２０ｂは、ディスプレイ１２０ａの上層に形成される。キー処理ユニット１１６は、利用者の指がタッチパネル１２０ｂに接触あるいは接近した画面上の位置を検出し、ＣＰＵ１１１に通知する。
【００２８】
Ｉ／Ｏ制御部１１７には、カード／レシート処理ユニット１３０、紙幣処理ユニット１４０、テンキーユニット１５０及び手のひら静脈／指静脈認証ユニット１６０が接続される。Ｉ／Ｏ制御部１１７は、ＣＰＵ１１１の制御の下に、接続する各部にＣＰＵ１１１からの指示を通知するとともに、各部から取得した情報をバス１１８経由でＣＰＵ１１１に送る。
【００２９】
カード／レシート処理ユニット１３０は、カード／レシート部３０に設けられ、カードの取り込みと排出、及びレシートの排出を制御する。
紙幣処理ユニット１４０は、紙幣処理部４０に設けられ、ＣＰＵ１１１の指示に従って紙幣の入出金と、紙幣処理部４０前面のシャッターの開閉とを制御する。紙幣処理ユニット１４０の詳細については、後述する。
【００３０】
テンキーユニット１５０は、テンキー入力部５０に設けられ、利用者が押下したテンキーの情報を出力する。手のひら静脈／指静脈認証ユニット１６０は、手のひら静脈／指静脈認証部６０にかざした利用者の手のひらあるいは指の静脈を検出し、ＣＰＵ１１１に通知する。
【００３１】
以上のようなハードウェア構成によって、本実施の形態の処理機能を実現することができる。なお、上記の構成は一例であり、ＡＴＭ１０の構成部の組み合わせは適宜決定される。上記構成のうち必要のないものを削除するとしてもよいし、例えば、手のひら静脈や指静脈以外の生体認証部や非接触ＩＣに対応する非接触ＩＣ部、硬貨処理ユニット等を加えることもできる。
【００３２】
次に、紙幣処理ユニット１４０について説明する。紙幣処理ユニット１４０は、入金及び出金取引の際に、紙幣の受け渡しを処理するユニットであり、第１の実施形態の紙葉類取扱装置１の一実施形態である。なお図４では、正面のシャッターは省略している。
【００３３】
図４は、第２の実施形態の紙幣処理ユニットの構成の一例を示した断面図である。図４は、図２に示した紙幣処理部４０の正面−背面方向の断面図である。
紙幣処理ユニット１４０は、ＡＴＭ１０の正面側から背面側に向かって順に、投入部４１と、繰出し部４２と、紙幣収納部４３と、を有し、各部の動作は制御部１１０によって制御される。
【００３４】
投入部４１は、ＡＴＭ１０の正面に形成され、正面側に開口部を有する。開口部は、紙幣の受け渡しを行わないときは、ＡＴＭ１０の筐体正面側に形成されるシャッターによって塞がれている。紙幣の受け渡しを行う際には、シャッターが開放され、開口部から投入部４１の内部が露出される。このとき、投入部４１には、紙幣を蓄積するトレー部４１０が配置される。トレー部４１０は、開口部によって少なくとも一部が露出され、外部からトレー部４１０の一端を含む一部が視認可能となる。また、トレー部４１０は、トレー支持部４４１によってＡＴＭ１０の設置面に対し、所定の傾斜角（図４では傾きθと表した角度）を有して傾斜している。これにより、トレー部４１０の底面は、正面側から背面側に向かって上り勾配を形成している。トレー部４１０は、第１の実施形態の一時収納部５の一実施形態である。
【００３５】
繰出し部４２は、投入部４１に隣接して形成され、トレー部４１０が投入部４１と繰出し部４２との間を移動できるように形成されている。例えば、トレー部４１０が投入部４１から繰出し部４２へ移動する際には、投入部４１と繰出し部４２との間を塞ぐ側壁が開放される。繰出し部４２は、繰出し部４２に移動したトレー部４１０ｂに蓄積されている紙幣８０を紙幣収納部４３に繰出す繰出しローラ４２１を有する。
【００３６】
紙幣収納部４３は、繰出し部４２から繰出された紙幣８０を搬送路４３２に沿って搬送する搬送ローラ４３１ａ，４３１ｂ，４３１ｃ，４３１ｄ，４３１ｅ，４３１ｆと、紙幣を収納する収納庫４３３とを有する。
【００３７】
紙幣処理ユニット１４０は、さらに、投入部４１と繰出し部４２に跨ってトレー部４１０を移動させるスライド機構が投入部４１及び繰出し部４２の下部に形成されている。紙幣処理ユニット１４０は、投入部４１と繰出し部４２とを跨いでＡＴＭ１０の奥行き方向に延在するガイドレール４４２を設け、トレー支持部４４１によって支持されるトレー部４１０を保持する。また、トレー支持部４４１に駆動モータ４４３によって回転可能な駆動ベルト４４４を連結する。駆動モータ４４３を駆動し、駆動ベルト４４４を正面から背面方向、または背面から正面方向に駆動させることによって、トレー部４１０を投入部４１と繰出し部４２との間をガイドレール４４２に沿って移動させる。なお、図４に示したスライド機構は一例であり、トレー部４１０を投入部４１と繰出し部４２に跨って移動させることができる機構であればよい。
【００３８】
次に、トレー部４１０について説明する。図５は、第２の実施形態のトレー部の構成を示した斜視図である。図５（Ａ）は、紙幣入金前のトレー部を示した図であり、図５（Ｂ）は、紙幣入金後のトレー部を示した図である。
【００３９】
トレー部４１０ａは、紙幣８０を保持する側壁を有するトレー本体４１１に、紙幣押さえレバー４１２と、ガイド４１３と、目印４１４が形成されている。なお、以下では、便宜的に、紙幣押さえレバー４１２が形成されている側を上側とし、トレー部４１０ａは上側に向かって上り勾配が形成されているとして説明する。
【００４０】
紙幣押さえレバー４１２は、トレー本体４１１に、例えば、回転可能に取り付けられている。図５に示した例は、紙幣押さえレバー４１２が紙幣８０を押さえていない状態であって、紙幣８０が蓄積される領域を開放する位置に配置されている。紙幣８０が蓄積されたときは、制御部１１０の指示に応じて紙幣押さえレバー４１２が回転し、紙幣８０が上部から押さえられる。
【００４１】
ガイド４１３は、例えば、紙幣８０が蓄積される領域の四隅に形成され、紙幣８０を所定の位置に誘導し、保持する。
目印４１４は、利用者が紙幣８０を投入する際に目安にするため、紙幣８０を置く概略の位置を図示したものである。
【００４２】
利用者が紙幣８０を投入すると、図５（Ｂ）に示したように、トレー部４１０ｂには、紙幣８０が蓄積される。紙幣８０の蓄積が終了したときは、紙幣押さえレバー４１２が回転し、紙幣８０の面を押さえる。
【００４３】
なお、図５には、トレー部４１０ａの上部に紙幣押さえレバー４１２を配置する構成を示したが、紙幣押さえレバー４１２はトレー部４１０ａの下部あるいは側面など、どこに形成されてもよい。開口部より視認したときに、紙幣押さえレバー４１２によってトレー部４１０ａ及び紙幣８０の視認を妨げない位置に形成されることが好ましい。
【００４４】
このような構成の紙幣処理ユニット１４０を有するＡＴＭ１０の動作について、図６〜９を用いて説明する。
ＡＴＭ１０は、図２に示したように、紙幣８０の取り扱いが行われていないとき、紙幣処理ユニット１４０はシャッターによって閉ざされ、外から内部が見えないようになっている。利用者が顧客操作部２０あるいはテンキー入力部５０を操作して紙幣８０の取り扱いを伴う処理を選択すると、制御部１１０によって紙幣８０の取扱処理が開始される。なお、以下では、紙幣８０の取扱処理のうち、ＡＴＭ１０に紙幣８０が入金される場合の処理について説明する。
【００４５】
最初に、紙幣８０の入金受付前と入金受付後の紙幣処理ユニット１４０の動作について図６を用いて説明する。図６は、紙幣の入金受付前と入金受付後の紙幣処理ユニットの状態を示した断面図である。図６（Ａ）は、入金受付前、図６（Ｂ）は、入金受付後の紙幣処理ユニットを含むＡＴＭ１０の断面図である。なお、図６では図４に示したスライド機構は省略している。
【００４６】
図６（Ａ）に示した紙幣８０の入金受付前は、利用者が紙幣８０の取扱処理を選択していない状態であって、制御部１１０が紙幣８０の投入を受け付ける前の状態を示している。紙幣８０の入金受付前では、ＡＴＭ１０の筐体正面に形成されるシャッター４６が閉じられ、紙幣処理ユニット１４０の開口部がシャッター４６によって塞がっている。また、トレー部４１０は、スライド機構によって投入部４１に移動し、シャッター４６が開いた時に、利用者から少なくとも一部が視認可能となる位置に配置されている。
【００４７】
この状態から制御部１１０が紙幣８０の入金を受け付け、紙幣処理ユニット１４０のシャッター４６を開ける。
図６（Ｂ）に示した紙幣８０の入金受付後の状態では、シャッター４６はＡＴＭ１０の正面上方に移動し、投入部４１の開口部が開放される。これにより、トレー部４１０は、少なくとも上部が外部に露出し、トレー部４１０への紙幣８０の投入が可能となる。
【００４８】
図７は、紙幣入金受付時に外部から視認されるトレー部の状態の一例を示した図である。図６（Ｂ）の状態において、利用者からは、トレー部４１０がこのように視認できる。
開口部４６０は、シャッター４６によって開放された領域であり、トレー部４１０と区別するために、トレー部４１０と重ならない部分を斜線で示している。図７に示したように、トレー部４１０は、トレー本体４１１の上部が利用者から視認可能な状態で投入部４１に配置されている。利用者は、目印４１４を目安として紙幣８０をトレー部４１０に投入する。トレー部４１０は、上方に向かって上り勾配となるように配置されており、例えば、利用者が目印４１４よりも上方に紙幣８０を投入した場合であっても、上り勾配とガイド４１３によって、目印４１４により示される所定の位置に紙幣８０を誘導することができる。なお、紙幣押さえレバー４１２は、トレー本体４１１の上方にセットされており、利用者の視界を妨げることがない。
【００４９】
このように、紙幣処理ユニット１４０では、紙幣８０を置く位置と、紙幣８０の状態とを視認しながら紙幣８０を投入することができる。また、紙幣８０の投入は、紙幣８０をトレー部４１０に置くという動作で行うため、紙幣８０の状態によらず安定して紙幣８０を投入することができる。例えば、スロット型の投入口で発生する、利用者が紙幣８０を奥まで入れ過ぎたり、紙幣８０のしわにより繰出しローラが紙幣８０を繰出せなかったりなど、利用者の操作や紙幣８０の状態によって生じる問題を低減することができる。
【００５０】
また、紙幣処理ユニット１４０は、図６、７に示したように、紙幣８０の長辺方向がＡＴＭ１０の奥行き方向と同様の方向になる。以下では、このような紙幣８０の置き方を縦置きとする。これに対し、ポケット型の多くは、紙幣８０の長辺方向がＡＴＭ１０の奥行き方向と交差する横置きであり、ポケットの側壁と紙幣８０の面とが対向するように投入する。このとき、紙幣８０の位置確認は、紙幣８０の辺で行う。このように、紙幣処理ユニット１４０では、従来のポケット型と比較してＡＴＭ１０の奥行き方向と直交する幅を狭くすることができるため、省スペースを可能にする。また、紙幣８０の面で位置を確認しながらトレー部４１０に紙幣８０を置くことができるため、より安定的に紙幣８０を投入することができる。
【００５１】
次に、トレー部４１０に紙幣８０が入金されてからの紙幣処理ユニット１４０の動作について説明する。
図８は、紙幣入金時と紙幣入金終了後における紙幣処理ユニットの状態を示した断面図である。図８（Ａ）は、紙幣入金時、図８（Ｂ）は紙幣入金終了時の紙幣処理ユニット１４０の状態を示している。なお、図８では、図４に示したスライド機構は省略している。
【００５２】
図８（Ａ）に示したように、紙幣入金時には、紙幣押さえレバー４１２は、トレー部４１０の上方に配置されており、開口部４６０からトレー部４１０を見たときの視界を妨げることがない。この状態で、利用者はトレー部４１０のガイド４１３及び目印４１４を目安に紙幣８０をトレー部４１０に置く。
【００５３】
入金が終了した利用者が顧客操作部２０などを介して入金の終了を通知するか、シャッター４６を開けてから所定の時間が経過したとき、制御部１１０は、入金が終了したとみなし、次のステップへ処理を進める。
【００５４】
図８（Ｂ）に示したように、制御部１１０は、入金が終了したことを検出すると、シャッター４６を閉じる。また、紙幣押さえレバー４１２を動作させ、蓄積された紙幣８０を上部から押さえるようにする。このように、紙幣押さえレバー４１２によって紙幣８０を紙幣表面の上部から押さえることにより、トレー部４１０内に紙幣８０をより安定的に収納することができる。このように、トレー部４１０内の紙幣８０の状態を安定化した後、制御部１１０は、図４に示したスライド機構によって、投入部４１に配置されているトレー部４１０を繰出し部４２に移動させる。
【００５５】
次に、紙幣８０の入金が終了してから繰出し処理を開始するまでの紙幣処理ユニット１４０の動作について説明する。
図９は、繰出し処理を開始する前の紙幣処理ユニットの状態を示した断面図である。なお、図９では、図４に示したスライド機構は省略している。
【００５６】
図９に示したように、トレー部４１０は、入金が終了した後、繰出し部４２に移動されている。繰出し部４２では、繰出しローラ４２１が、紙幣押さえレバー４１２によって所定の位置に保持されている紙幣８０を順次搬送ローラ４３１側に繰出す。搬送ローラ４３１は、繰出し部４２によって繰出された紙幣８０を搬送し、収納部へ格納する。
【００５７】
このように、紙幣処理ユニット１４０では、トレー部４１０を利用者が紙幣８０の投入などの操作を行う投入部４１から利用者による操作の影響が及ばない繰出し部４２に移動させた後に繰出し処理を行う。これによって、例えば、スロット型で生じていたような利用者の操作が繰出しに与える影響を排除し、繰出し部４２における繰出し処理を安定させることができる。
【００５８】
また、繰出し処理において、紙幣８０は、トレー部４１０の上方に向かって繰出されるので、トレー部４１０の下部に残留する硬貨などの異物が繰出し処理に与える影響を低減することができる。これにより、より安定した繰出しが可能となる。なお、紙幣８０の繰出し終了後、硬貨などの異物はトレー部４１０の下部に残留する。センサなどによって、下部に異物が残留していることを検出したときは、制御部１１０は、トレー部４１０を投入部４１に移動し、シャッター４６を開けて異物を利用者に返却する。
【００５９】
以上、紙幣処理ユニット１４０における紙幣８０の入金処理の動作について説明したが、紙幣処理ユニット１４０では紙幣８０の出金処理も行う。
紙幣８０の出金処理では、まず、図９に示した手順とは逆に、繰出し部４２に配置されるトレー部４１０に、紙幣収納部４３から出金する紙幣８０が繰出され、トレー部４１０に蓄積される。出金する紙幣８０が蓄積されたトレー部４１０は、制御部１１０の制御によって投入部４１に移動される。続いて、制御部１１０の指示によってトレー部４１０の紙幣押さえレバー４１２が上げられ、シャッター４６が開放される。これにより、図８の（Ａ）に示した状態となる。利用者は、トレー部４１０に蓄積された紙幣８０を受け取ることができる。利用者がトレー部４１０の紙幣８０を受け取った後、制御部１１０はシャッター４６を閉じ、出金処理を終了する。
【００６０】
紙幣処理ユニット１４０では、出金処理においてトレー部４１０に蓄積された紙幣８０を開口部４６０から容易に視認することができるため、紙幣８０が取りやすい。これにより、出金処理において利用者の利便性を向上させることができる。
【００６１】
なお、上記では、ＡＴＭ１０に適用した実施形態について説明したが、他の紙幣を取り扱う装置に適用することができるのはもちろんのこと、紙幣以外の紙葉類を取扱装置に適用することができる。
【００６２】
また、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【００６３】
１  紙葉類取扱装置
２  投入部
３  繰出し部
４  紙葉類収納部
５  一時収納部
５ａ  側壁
６  筐体
７  シャッター
８  開口部
１０  ＡＴＭ
４０  紙幣処理部
４１  投入部
４２  繰出し部
４３  紙幣収納部
４６  シャッター
４１０，４１０ａ，４１０ｂ  トレー部
４１１  トレー本体
４１２  紙幣押さえレバー
４１３  ガイド
４１４  目印
４２１  繰出しローラ
４３１ａ，４３１ｂ，４３１ｃ，４３１ｄ，４３１ｅ，４３１ｆ  搬送ローラ
４３２  搬送路
４３３  収納庫
４４１  トレー支持部
４４２  ガイドレール
４４３  駆動モータ
４４４  駆動ベルト
４６０  開口部
【図１】
0006310412.tif 000002
【図２】
0006310412.tif 000003
【図３】
0006310412.tif 000004
【図４】
0006310412.tif 000005
【図５】
0006310412.tif 000006
【図６】
0006310412.tif 000007
【図７】
0006310412.tif 000008
【図８】
0006310412.tif 000009
【図９】
0006310412.tif 000010